(57)【特許請求の範囲】
【請求項１】
ゴム様弾性体から無端帯状に形成されたクローラ本体（６）内に、クローラ周方向（Ａ）に亘って芯金（７）が埋設されると共に、クローラ本体（６）の接地側のクローラ幅方向（Ｂ）両側に、ラグ（１１）がクローラ周方向（Ａ）に亘って設けられ、このラグ（１１）は、クローラ幅方向（Ｂ）外方に向かうに従ってクローラ周方向（Ａ）に移行する傾斜状に配置されていて、クローラ周方向（Ａ）で隣り合う３つの芯金（７）に亘って設けられており、ラグ（１１）のクローラ幅方向（Ｂ）外端側の部分（１１ａ）の接地面のクローラ周方向（Ａ）の幅（Ｗ１）が、ラグ（１１）のクローラ幅方向（Ｂ）中央側の部分（１１ｂ）の接地面のクローラ周方向（Ａ）の幅（Ｗ２）と略同幅に形成され、
クローラ本体（６）のクローラ幅方向（Ｂ）両側において、クローラ周方向（Ａ）で隣り合うラグ（１１）の、一方のラグ（１１）の外端側部分（１１ａ）の一部と、他方のラグ（１１）の中央側部分（１１ｂ）の一部とが、同じ芯金（７）に対応する位置に設けられ、
前記ラグ（１１）の外端側の部分（１１ａ）は、該ラグ（１１）が形成されたところに対応する位置にある３つの芯金（７）の真ん中の芯金（７）と、これに隣り合う一方の芯金（７）との２つの芯金（７）に亘って設けられ、且つ該ラグ（１１）の中央側の部分（１１ｂ）は、該ラグ（１１）が形成されたところに対応する位置にある３つの芯金（７）の真ん中の芯金（７）と、これに隣り合う他方の芯金（７）との２つの芯金（７）に亘って設けられていることを特徴とする弾性クローラ。
【請求項２】
ゴム様弾性体から無端帯状に形成されたクローラ本体（６）内に、クローラ周方向（Ａ）に亘って芯金（７）が埋設されると共に、クローラ本体（６）の接地側のクローラ幅方向（Ｂ）両側に、ラグ（１１）がクローラ周方向（Ａ）に亘って設けられ、このラグ（１１）は、クローラ幅方向（Ｂ）外方に向かうに従ってクローラ周方向（Ａ）に移行する傾斜状に配置されていて、クローラ周方向（Ａ）で隣り合う複数の芯金（７）に亘って設けられており、ラグ（１１）のクローラ幅方向（Ｂ）外端側の部分（１１ａ）の接地面のクローラ周方向（Ａ）の幅（Ｗ１）が、ラグ（１１）のクローラ幅方向（Ｂ）中央側の部分（１１ｂ）の接地面のクローラ周方向（Ａ）の幅（Ｗ２）と略同幅に形成され、
クローラ本体（６）のクローラ幅方向（Ｂ）両側において、クローラ周方向（Ａ）で隣り合うラグ（１１）の、一方のラグ（１１）の外端側部分（１１ａ）の一部と、他方のラグ（１１）の中央側部分（１１ｂ）の一部とが、同じ芯金（７）に対応する位置に設けられ、
前記ラグ（１１）の、クローラ幅方向（Ｂ）中央側の部分（１１ａ）から外端側の部分（１１ｂ）に至る中間部分（１１ｃ）は、クローラ幅方向（Ｂ）外方に向かうに従ってクローラ周方向（Ａ）に移行する傾斜状に形成され、
ラグ（１１）の、クローラ幅方向（Ｂ）外端側の部分（１１ａ）及び中央側の部分（１１ｂ）は、前記中間部分（１１ｃ）に対して屈曲していて、クローラ幅方向（Ｂ）に形成されていることを特徴とする弾性クローラ。
【発明の詳細な説明】
【０００１】
【発明の属する技術分野】
本発明は、ショベル、バックホー、キャリアダンプ等の土木・建設機械や、運搬車、又はトラクタ等の農業機械等の走行部として採用されるクローラ式走行装置に採用される弾性クローラ（ゴムクローラ）に関するものである。
【０００２】
【従来の技術】
クローラ式走行装置は、一般的に、進行方向前後一側に配置された駆動スプロケットと、進行方向前後他側に配置されたアイドラと、これら駆動スプロケットとアイドラとの間に配置された複数の転輪と、これら駆動スプロケット、アイドラ及び転輪に亘って巻き掛けられる履帯とから主構成されていて、駆動スプロケットを回転駆動させて履帯を周方向に循環回走させることで、走行可能とされている。
【０００３】
このクローラ式走行装置に採用される履帯として、弾性クローラがあり、図１５及び図１６に示すように、この弾性クローラ３０は、ゴム等の弾性体からなる無端帯状のクローラ本体３１内に、クローラ周方向Ａに適宜間隔をおいて芯金３２が埋設されると共に、該芯金３２のクローラ外周側にスチールコード等からなる抗張体（補強帯）がクローラ周方向Ａに亘って埋設されることで主構成されている。
【０００４】
また、クローラ本体３１の、クローラ周方向Ａで隣り合う芯金３２間で且つクローラ幅方向Ｂ中央部には、駆動スプロケットの歯を芯金３１に噛み合わせて弾性クローラを周方向Ａに循環回走させるべく、駆動スプロケットの歯を挿入させるための係合孔３３が、各芯金３２間に形成されている。
また、クローラ本体３１の接地側（クローラ外周側）には、前記係合孔３３を挟んでクローラ幅方向Ｂ両側に、ラグ３４がクローラ周方向Ａに亘って適宜間隔をおいて形成されている。
【０００５】
このラグ３４は、クローラ幅方向Ｂ外端側の部分３４ａの接地面のクローラ周方向Ａの幅Ｗ１が、クローラ幅方向Ｂ中央側の部分３４ｂの接地面のクローラ周方向Ａの幅Ｗ２よりも小に形成されている。
【０００６】
【発明が解決しようとする課題】
前記弾性クローラ３０にあっては、縁石、石等によって、弾性クローラ３０の翼部（クローラ幅方向Ｂ側部）において耳切れ等が生じ、これにより抗張体や芯金３２が露出することがあり、問題になっている。
すなわち、図１７（ａ）に示すように、弾性クローラ３０の翼部が縁石３５に乗り上げると、該翼部が湾曲変形して、縁石３５の角部３５ａでラグ３４がカットされて割れが生じる。この割れがクローラ周方向Ａに連続状に生じたものを耳切れと呼んでいる。
【０００７】
そして、走行により弾性クローラ３０の屈曲が繰り返されると、ラグ３４に生じた割れが弾性クローラ３０の内周側へと波及して、抗張体や芯金３２にまで至り、弾性クローラ３０の屈曲時において、抗張体や芯金３２が露出して見えることとなる。
本発明は、前記問題点に鑑みて、弾性クローラの翼部におけるラグのカットを良好に防止することを目的とする。
【０００８】
【課題を解決するための手段】
本発明が技術的課題を解決するために講じた技術的手段は、ゴム様弾性体から無端帯状に形成されたクローラ本体６内に、クローラ周方向Ａに亘って芯金７が埋設されると共に、クローラ本体６の接地側のクローラ幅方向Ｂ両側に、ラグ１１がクローラ周方向Ａに亘って設けられ、このラグ１１は、クローラ幅方向Ｂ外方に向かうに従ってクローラ周方向Ａに移行する傾斜状に配置されていて、クローラ周方向Ａで隣り合う３つの芯金７に亘って設けられており、ラグ１１のクローラ幅方向Ｂ外端側の部分１１ａの接地面のクローラ周方向Ａの幅Ｗ１が、ラグ１１のクローラ幅方向Ｂ中央側の部分１１ｂの接地面のクローラ周方向Ａの幅Ｗ２と略同幅に形成され、
クローラ本体６のクローラ幅方向Ｂ両側において、クローラ周方向Ａで隣り合うラグ１１の、一方のラグ１１の外端側部分１１ａの一部と、他方のラグ１１の中央側部分１１ｂの一部とが、同じ芯金７に対応する位置に設けられ、
前記ラグ１１の外端側の部分１１ａは、該ラグ１１が形成されたところに対応する位置にある３つの芯金７の真ん中の芯金７と、これに隣り合う一方の芯金７との２つの芯金７に亘って設けられ、且つ該ラグ１１の中央側の部分１１ｂは、該ラグ１１が形成されたところに対応する位置にある３つの芯金７の真ん中の芯金７と、これに隣り合う他方の芯金７との２つの芯金７に亘って設けられていることを特徴とする。
【０００９】
また、他の技術的手段は、ゴム様弾性体から無端帯状に形成されたクローラ本体６内に、クローラ周方向Ａに亘って芯金７が埋設されると共に、クローラ本体６の接地側のクローラ幅方向Ｂ両側に、ラグ１１がクローラ周方向Ａに亘って設けられ、このラグ１１は、クローラ幅方向Ｂ外方に向かうに従ってクローラ周方向Ａに移行する傾斜状に配置されていて、クローラ周方向Ａで隣り合う複数の芯金７に亘って設けられており、ラグ１１のクローラ幅方向Ｂ外端側の部分１１ａの接地面のクローラ周方向Ａの幅Ｗ１が、ラグ１１のクローラ幅方向Ｂ中央側の部分１１ｂの接地面のクローラ周方向Ａの幅Ｗ２と略同幅に形成され、
クローラ本体６のクローラ幅方向Ｂ両側において、クローラ周方向Ａで隣り合うラグ１１の、一方のラグ１１の外端側部分１１ａの一部と、他方のラグ１１の中央側部分１１ｂの一部とが、同じ芯金７に対応する位置に設けられ、
前記ラグ１１の、クローラ幅方向Ｂ中央側の部分１１ａから外端側の部分１１ｂに至る中間部分１１ｃは、クローラ幅方向Ｂ外方に向かうに従ってクローラ周方向Ａに移行する傾斜状に形成され、
ラグ１１の、クローラ幅方向Ｂ外端側の部分１１ａ及び中央側の部分１１ｂは、前記中間部分１１ｃに対して屈曲していて、クローラ幅方向Ｂに形成されていることを特徴とする。
【００１０】
【発明の実施の形態】
以下、本発明の実施の形態を図面を参照して説明する。
図２において、１は、土木・建設機械や運搬車又は農業機械等の走行部として採用されるクローラ式走行装置であり、このクローラ式走行装置１は、進行方向（図２の左右方向）前後一側に配置された駆動スプロケット（駆動輪）２と、進行方向前後他側に配置されたアイドラ３と、これら駆動輪２とアイドラ３との間に配置された複数個の転輪５とをトラックフレームＦの左右両側のサイドフレームに左右方向（図２の紙面貫通方向）の軸心廻りに回転自在に支持すると共に、これら駆動スプロケット２，アイドラ３及び転輪４に亘ってエンドレス状の弾性クローラ５を巻き掛けて主構成されており、このクローラ式走行装置１を採用した機械の、本機側からの重量等の荷重は転輪４を介して弾性クローラ５に作用し、駆動スプロケット２を回転駆動することにより弾性クローラ５を周方向Ａに循環回走させることで前後に進行するように構成されている。
【００１１】
弾性クローラ５は、図１及び図３に示すように、ゴム様弾性体（ゴム、樹脂等）によってエンドレスの帯状に形成されたクローラ本体６内に、多数の芯金７と抗張体８とを埋設することで主構成されている。
芯金７は、クローラ幅方向Ｂ（左右方向）に長く形成され、クローラ周方向Ａ全周に亘って該周方向Ａに適宜間隔をおいて配置されている。
【００１２】
芯金７の、クローラ幅方向Ｂの中央側で且つクローラ内周側Ｃには、クローラ本体６からクローラ内周側Ｃに突出する左右一対のガイド部９が設けられており、このガイド部９によって転輪４等の脱輪防止が図られている。
このクローラ式走行装置１では、左右のガイド部９のクローラ幅方向Ｂの外方側が転輪４が通過（転動）するレール部とされ、転輪４は左右のガイド部９を跨ぐように配置される。
【００１３】
なお、左右のガイド部９の頂部（クローラ内周側Ｃの面）が、転輪が通過するレール部とされていてもよい。また、ガイド部９の形状は図例の形状に限定されることはなく、例えば、１つの突起ではなく、前後の分割状（二股状）の突起であってもよく、また、左右のガイド部９は、同形状でなくてもよい。
クローラ本体６の、クローラ周方向Ａで隣り合う芯金７間で且つクローラ幅方向Ｂ中央部には、駆動スプロケット２の歯を芯金７に噛み合わせて弾性クローラ５を周方向Ａに循環回走させるべく、駆動スプロケット２の歯を挿入させるための係合孔１０が、各芯金７間に形成されている。
【００１４】
また、この弾性クローラ５は、駆動スプロケット２の全ての歯に、それぞれ芯金７が噛み合う、ショートピッチタイプの弾性クローラ５とされている。
また、クローラ本体６の接地側（クローラ外周側Ｄ）には、前記係合孔１０を挟んでクローラ幅方向Ｂ両側に、ラグ１１がクローラ周方向Ａに亘って且つ周方向Ａに適宜間隔をおいて形成されている。
【００１５】
このラグ１１は、全体的に見て、クローラ幅方向Ｂ外方に向かうに従ってクローラ周方向一方Ａ１に移行する傾斜状に配置形成されていて、クローラ周方向Ａで隣り合うように並ぶ３つの芯金７に亘って配置されている。
なお、ラグ１１は、２つ或いは４つの芯金７に亘るように設けられていてもよい。
【００１６】
また、ラグ１１は、クローラ幅方向Ｂ外端側の部分１１ａと、クローラ幅方向Ｂの中央側の部分１１ｂと、これら外端側部分１１ａと中央側部分１１ｂとの間の中間部分１１ｃとから構成されており、外端側部分１１ａと中央側部分１１ｂとは、クローラ幅方向Ｂに沿う方向に形成され、中間部分１１ｃが主として、クローラ幅方向Ｂ外方に向かうに従ってクローラ周方向一方Ａ１に移行する傾斜状に形成されている。
【００１７】
また、ラグ１１の外端側部分１１ａは、当該ラグ１１が形成されたところに対応する位置にある３つの芯金７の真ん中の芯金７と、これに隣り合う一方の芯金７との２つの芯金７に亘って設けられ、このラグ１１の中央側部分１１ｂは、当該ラグ１１が配置されたところに対応する位置にある３つの芯金７の真ん中の芯金７と、これに隣り合う他方の芯金７との２つの芯金７に亘って設けられている。
【００１８】
また、クローラ周方向Ａで隣り合うラグ１１の、一方のラグ１１の外端側部分１１ａの一部と、他方のラグ１１の中央側部分１１ｂの一部とが、同じ芯金７に対応する位置に設けられていて、クローラ周方向Ａで隣り合うラグ１１の、一方のラグ１１の外端側部分１１ａと、他方のラグ１１の中央側部分１１ｂとが、側方から見て一部ラップするように近接して配置されていて、クローラ周方向Ａに並べられて配置されたラグ１１の各中央側部分１１ｂが、２つの芯金７に亘り且つ芯金７の間隔と略同じ間隔でクローラ周方向Ａに配置されるように形成されてている。
【００１９】
また、ラグ１１は、クローラ本体６側から接地側に向かうに従って、クローラ厚さ方向Ｅに直交する面での断面積が漸次狭くなるように形成されていて、クローラ厚さ方向Ｅに沿う面で切断した断面が、クローラ本体６側から接地側に向かうに従って先窄まりとなる台形を呈するように形成されている。
また、左右一方に設けられたラグ１１は、左右他方に設けられたラグ１１に対して、クローラ周方向Ａに半ピッチ位置ずれさせて配置されていて、左右一方に設けられたラグ１１と、左右他方に設けられたラグ１１とがクローラ周方向Ａに関して千鳥状に配置されている。
【００２０】
したがって、弾性クローラ５の左右一方に設けられたラグ１１の外端側部分１１ａと、弾性クローラ５の左右他方に設けられたラグ１１の中央側部分１１ｂとは、クローラ周方向Ａに関して略同じ位置（側方からみてラップする位置）に設けられている。
前記構成のものにあっては、ラグ１１が複数の芯金７に亘るように、クローラ幅方向Ｂに対して斜めに配置されていると共に、左右のラグ１１が千鳥状に配置されており、また、クローラ周方向Ａで隣り合う芯金７間には、ラグ１１が存在しており、剛性差が少ない。
【００２１】
また、前記構成のラグ１１の外端側部分１１ａの接地面のクローラ周方向Ａの幅Ｗ１は、ラグ１１の中央側部分１１ｂの接地面のクローラ周方向Ａの幅Ｗ２と略同幅に形成されている。
このラグ１１の外端側部分１１ａの幅Ｗ１は、0.8×Ｗ２〜1.2×Ｗ２の範囲内に形成されている。
【００２２】
ラグ１１の外端側部分１１ａの幅Ｗ１が、0.8×Ｗ２よりも小さいと、縁石に乗り上げた時のラグ１１の割れ発生率が大きくなり、1.2×Ｗ２よりも大きくなると、弾性クローラ５の翼部（クローラ幅方向Ｂ側部）の屈曲剛性が大きくなりすぎ、弾性クローラ５が駆動スプロケット２やアイドラ３に巻き掛けられて屈曲した場合、弾性クローラ５の翼部に無理な変形が生じ、芯金７とクローラ本体６との接着力を悪くさせると共に、駆動スプロケット２等にスムーズに巻き掛けられないという問題が生じる。
【００２３】
また、前記構成のラグ１１にあっては、Ｗ１≒Ｗ２とすることで、ラグ外端部分１１ａと、ラグ中央側部分１１ｂとの剛性が略均一となり、ラグ１１の偏摩耗、振動も同時に改善される。
なお、前記実施の形態にあっては、左右のラグ１１がクローラ幅方向Ｂ外方に向かうに従ってクローラ周方向一方Ａ１に移行する傾斜状に配置形成されているが、図１８に示すように、左右一方のラグ１１がクローラ幅方向Ｂ外方に向かうに従ってクローラ周方向一方Ａ１に移行する傾斜状とされ、他方のラグ１１がクローラ幅方向Ｂ外方に向かうに従ってクローラ周方向他方Ａ２に移行する傾斜状とされていてもよい。
【００２４】
図４〜１４は、パッド式履帯に採用される弾性パッド２０（ゴムパッド）に関する開示例を示しており、該弾性パッド２０は、エンドレス状に連結された多数のリンクの各々に取り付けられて、無端帯状の履帯を構成する。
図４〜１４において、弾性パッド２０は、金属製等の板材等から形成されていて、履帯内周側Ｃに位置する芯材２１と、この芯材２１に加硫接着等によって固着されたゴム様弾性体から形成されていて、履帯外周側Ｄ（接地側）に位置するパッド本体２２とから主構成されており、履帯幅方向Ｂに長く形成されている。
【００２５】
図４及び図５、又は図１０〜図１２に示す弾性パッド２０にあっては、芯材２１の履帯幅方向Ｂ中央側に、左右一対のボルト挿通孔２３が、履帯周方向Ａ前後に形成されている。
また、パッド本体２２は、ブロック状に形成されており、その履帯幅方向Ｂ中央側には、前記芯材２１のボルト挿通孔２３に対応して形成されていて、該ボルト挿通孔２３に挿通されるボルトの頭部を挿入するボルト取付孔２４が形成されている。
【００２６】
この弾性パッド２０にあっては、パッド本体２２に形成されたボルト取付孔２４からボルト挿通孔２３にボルトを挿通すると共に、このボルトをリンクに形成されたネジ孔に螺合することでリンクに取付固定される。
また、図８及び図９、又は図１３及び図１４に示す弾性パッド２０にあっては、芯材２１の履帯幅方向Ｂ一端側に、リンクに取付固定される履板等に引っ掛けられるフック部２６を形成し、芯材２１の履帯幅方向Ｂ他端側にボルト挿通孔２７を形成すると共に、このボルト挿通孔２７に挿通されるボルトの頭部を挿入するボルト取付孔２８をパッド本体２２に形成し、フック部２６を履板等に引っ掛け、パッド本体２２に形成されたボルト取付孔２８からボルト挿通孔２７にボルトを挿通すると共に、このボルトを履板等に形成されたネジ孔に螺合することで履板等に取付固定されるようにしたものである。
【００２７】
前記弾性パッド２０にあっては、パッド本体２２には、前述したボルト取付孔２４，２８や、泥抜き孔等の孔が形成されるが、このパッド本体２２に形成される孔２４，２８の内周面側で且つパッド本体２２の接地面側（孔２４，２８の内周面とパッド本体２２の接地面との間のコーナー部分）において、パッド本体２２を構成する弾性体（ゴム）の欠け、破損が発生し、問題となっている。
【００２８】
そこで、これを防止するために、前記弾性パッド２０にあっては、ボルト取付孔２４，２８等の形成部分を補強して、パッド本体２２を構成する弾性体（ゴム）の欠け、破損を防止するために、ボルト取付孔２４，２８等の周囲に補強層２５を設けている。
図４及び図５に示す弾性パッド２０にあっては、図６に示すように、キャンバス等の補強シートからなる補強層２５を、パッド本体２２の接地面側に設け、これによってボルト取付孔２４等の周囲を補強するようにしている。
【００２９】
また、補強層２５は、図７に示すように、ボルト取付孔２４等の内周面側に、パッド本体２２の厚さ方向Ｅに亘って設けるようにしてもよい。
また、図８及び図９に示す弾性パッド２０にあっては、補強層２５を構成するキャンバス等は、パッド本体２２の接地側表面及びボルト取付孔２８等の内周面から、パッド本体２２内部側に、埋設状として設けられている。
【００３０】
なお、補強層２５を構成するキャンバス等は、パッド本体２２を形成する際に、該パッド本体２２を形成する成形型に入れられてボルト取付孔２４，２８の形成部分の周辺に配置され、そして、該成形型にパッド本体２２を構成する未加硫ゴムを入れて、パッド本体２２を加硫成形することで、補強層２５を構成するキャンバス等はパッド本体２２を構成するゴムと一体化される。
【００３１】
また、図１０〜１４に示す弾性パッド２０にあっては、ボルト取付孔２４，２８等を補強する補強層２５が、短繊維を混入したゴム層（カットファイバー入りゴム）によって構成されている。
図１０及び図１１、又は図１３及び図１４に示すものにあっては、補強層２５は、パッド本体２２の厚さ方向Ｅに亘って設けられており、図１２に示すものにあっては、補強層２５は、パッド本体２２の厚さ方向Ｅ中途部からパッド本体２２の接地面にかけて設けられている。
【００３２】
この補強層２５にあっては、予めカットファイバー入りのゴムを形成しておいて、パッド本体２２を形成する際に、このカットファイバー入りのゴムを、パッド本体２２を形成する成形型に入れてボルト取付孔２４，２８の形成部分の周辺に配置し、そして、該成形型にパッド本体２２を構成する未加硫ゴムを入れて、パッド本体２２を加硫成形することで、補強層２５がパッド本体２２を構成するゴムと一体化されている（又は、補強層２５を構成するゴムがパッド本体２２の一部を構成している）。
【００３３】
【発明の効果】
本発明は、ゴム様弾性体から無端帯状に形成されたクローラ本体６内に、クローラ周方向Ａに亘って芯金７が埋設されると共に、クローラ本体６の接地側のクローラ幅方向Ｂ両側に、ラグ１１がクローラ周方向Ａに亘って設けられ、このラグ１１は、クローラ幅方向Ｂ外方に向かうに従ってクローラ周方向Ａに移行する傾斜状に配置されていて、クローラ周方向Ａで隣り合う複数の芯金７に亘って設けられており、ラグ１１の、クローラ幅方向Ｂ外端側の部分１１ａの接地面のクローラ周方向Ａの幅Ｗ１を、ラグ１１の、クローラ幅方向Ｂ中央側の部分１１ｂの接地面のクローラ周方向Ａの幅Ｗ２と略同幅に形成して、ラグ１１の外端側部分の１１ａの接地面の幅Ｗ１を従来よりも広くすることにより、例えば、弾性クローラの翼部（弾性クローラの幅方向側部）が縁石に乗り上げた際において、ラグ１１が湾曲し難く、縁石の角部によるカットを防止でき、また、カットが発生しても、ラグ１１の外端側部分１１ａの弾性体のボリュームが増大しているので、該カットが芯金７等にまで波及し難い。
【００３４】
また、ラグ１１の外端側部分１１ａの剛性が、ラグ１１の中央側部分１１ｂよりも大きくなればなる程、弾性クローラの駆動スプロケット等への巻き掛けがスムーズに行われず、駆動スプロケット等への巻き掛け時に翼部が無理に変形し、クローラ本体６と芯金７との接着力が悪くなるが、ラグ１１の、クローラ幅方向Ｂ外端側の部分１１ａの接地面のクローラ周方向Ａの幅Ｗ１を、ラグ１１の、クローラ幅方向Ｂ中央側の部分１１ｂの接地面のクローラ周方向Ａの幅Ｗ２と略同幅に形成することで、具体的には、0.8×Ｗ２≦Ｗ１≦1.2×Ｗ２となるように形成することで、弾性クローラの駆動スプロケット等への巻掛け時の不具合を生じさせることなく、弾性クローラの翼部が縁石に乗り上げた際の、ラグ１１の外端側部分１１ａの割れを防止できる。
【００３５】
また、ラグ１１が、クローラ幅方向Ｂ外方に向かうに従ってクローラ周方向一方Ａ１に移行する傾斜状に配置されたものであって、クローラ周方向Ａに並べられて配置されたラグ１１の各中央側部分１１ｂが、複数の芯金７に亘り且つ芯金７の間隔と略同じ間隔でクローラ周方向Ａに近接配置されたものにあっては、ラグ１１の外端側部分１１ａを、中央側部分１１ｂと同様の広幅にする場合、ラグ１１の外端側部分１１ａが、クローラ幅方向Ｂに対して傾斜状の状態（図１６参照）で広幅にすると、クローラ周方向Ａで隣り合うラグ１１の、外端側部分１１ａの基部に応力集中が生じるという問題がある。
【００３６】
すなわち、ラグ１１の前後左右の側面と、クローラ本体６の外周面との間のコーナー（隅）部分には、該部分の応力集中を避けるために、Ｒ（アール）が付けられるが、前述したように、ラグ１１の外端側部分１１ａが、クローラ幅方向Ｂに対して傾斜状の状態で広幅にすると、クローラ周方向Ａで隣り合うラグ１１の、外端側部分１１ａの基部に設けられるＲ部分同志が重なってしまい、該重なり部分がＶ字形となり、そこに応力集中が生じるのである。
【００３７】
これを避けるために、クローラ周方向Ａで隣り合うラグ１１の、クローラ周方向Ａの間隔を大きくすると、芯金７に対するラグ１１の位置がずれることとなると共に、ラグ１１の数が少なくなって、接地面積が小となる。
そこで、ラグ１１の、クローラ幅方向Ｂ外端側の部分１１ａ及び中央側の部分１１ｂをクローラ幅方向Ｂに沿って形成し、ラグ１１の、クローラ幅方向Ｂ中央側の部分１１ａから外端側の部分１１ｂに至る中間部分１１ｃがクローラ幅方向Ｂ外方に向かうに従ってクローラ周方向一方Ａ１に移行する傾斜状に形成することで、ラグ１１を、クローラ幅方向Ｂ外方に向かうに従ってクローラ周方向一方Ａ１に移行する傾斜状に配置したものにおいて、ラグ１１の外端側部分１１ａを中央側部分１１ｂと略同幅の広幅にしても、クローラ周方向Ａで隣り合うラグ１１の、外端側部分１１ａの基部に設けられるＲ部分同志が重なってしまうことがなく、ラグ１１をクローラ周方向Ａに近接して良好に配置できる。
【図面の簡単な説明】
【図１】  弾性クローラの接地側からみた図である。
【図２】  クローラ式走行装置の側面図である。
【図３】  弾性クローラを幅方向で切断した断面図である。
【図４】  パッド式履帯に採用される弾性パッドの接地側からみた図である。
【図５】  弾性パッドを履帯幅方向で切断した断面図である。
【図６】  ボルト取付孔を示す拡大断面図である。
【図７】  ボルト取付孔を示す拡大断面図である。
【図８】  弾性パッドの接地側からみた図である。
【図９】  弾性パッドを履帯幅方向で切断した断面図である。
【図１０】  弾性パッドの接地側からみた図である。
【図１１】  弾性パッドを履帯幅方向で切断した断面図である。
【図１２】  弾性パッドを履帯幅方向で切断した断面図である。
【図１３】  弾性パッドの接地側からみた図である。
【図１４】  弾性パッドを履帯幅方向で切断した断面図である。
【図１５】  従来の弾性クローラの接地側からみた図である。
【図１６】  従来の弾性クローラの接地側からみた図である。
【図１７】  従来の問題点を説明するための図である。
【図１８】  本発明に係る弾性クローラの他の弾性クローラの接地側からみた図である。
【符号の説明】
６    クローラ本体
７    芯金
１１    ラグ
１１ａ  ラグの外端側部分
１１ｂ  ラグの中央側部分
１１ｃ  ラグの中間部分
Ａ    クローラ周方向
Ｂ    クローラ幅方向
Ｗ１  ラグの、クローラ幅方向外端側の部分の接地面のクローラ周方向の幅
Ｗ２  ラグの、クローラ幅方向中央側の部分の接地面のクローラ周方向の幅
【図１】
0004828059.tif 000002
【図２】
0004828059.tif 000003
【図３】
0004828059.tif 000004
【図４】
0004828059.tif 000005
【図５】
0004828059.tif 000006
【図６】
0004828059.tif 000007
【図７】
0004828059.tif 000008
【図８】
0004828059.tif 000009
【図９】
0004828059.tif 000010
【図１０】
0004828059.tif 000011
【図１１】
0004828059.tif 000012
【図１２】
0004828059.tif 000013
【図１３】
0004828059.tif 000014
【図１４】
0004828059.tif 000015
【図１５】
0004828059.tif 000016
【図１６】
0004828059.tif 000017
【図１７】
0004828059.tif 000018
【図１８】
0004828059.tif 000019